(57)【要約】【課題】緊急事態の発生を、最も適した通報手段で周囲の人々に通報する機能を携帯電話機に付与するシステム等を提供する。【解決手段】コンテンツサーバが、携帯電話機により接続可能な登録用ウェブサイトを構築管理し、携帯電話機に設けた非常ボタンの操作により起動可能な複数の通報アプリケーションのプログラムファイルをライブラリに保存し、携帯電話機が登録用ウェブサイトに接続した場合にライブラリに保存されている複数の通報アプリケーションの一覧表を掲示し、掲示された一覧表から１つの通報アプリケーションを選択した選択データを携帯電話機から受信し、受信した選択データに基づいて通報アプリケーションのプログラムファイルをダウンロードする。【選択図】  図１
2005012301.tif 000002
【特許請求の範囲】
【請求項１】
ダウンロードしたアプリケーションの実行機能とブラウザ機能とを具備する携帯電話機に対して通報機能を付与すべく、コンテンツサーバから該携帯電話機へ通報アプリケーションをダウンロードするシステムにおいて、前記コンテンツサーバが、
前記携帯電話機により接続可能な登録用ウェブサイトを構築管理する手段と、
前記携帯電話機に設けた非常ボタンの操作により起動可能な複数の通報アプリケーションのプログラムファイルを保存したライブラリと、
前記携帯電話機が前記登録用ウェブサイトに接続した場合に、前記ライブラリに保存されている前記複数の通報アプリケーションの一覧表を該登録用ウェブサイトに掲示する手段と、
掲示された前記一覧表から１つの通報アプリケーションを選択した選択データを前記携帯電話機から受信する手段と、
受信した前記選択データに基づいて前記ライブラリの中の該当する通報アプリケーションのプログラムファイルを前記携帯電話機へダウンロードする手段とを有することを特徴とする
携帯電話機に対する通報機能付与システム。
【請求項２】
ダウンロードしたアプリケーションの実行機能とブラウザ機能とを具備する携帯電話機に対して通報機能を付与すべく、コンテンツサーバから該携帯電話機へ通報アプリケーションをダウンロードするシステムにおいて、前記コンテンツサーバが、
前記携帯電話機により接続可能な登録用ウェブサイトを構築管理する手段と、
前記携帯電話機に設けた非常ボタンの操作により起動可能な複数の通報アプリケーションのプログラムファイルを保存したライブラリと、
前記携帯電話機が前記登録用ウェブサイトに接続した場合に、前記ライブラリに保存されている前記複数の通報アプリケーションの一覧表を該登録用ウェブサイトに掲示する手段と、
掲示された前記一覧表から複数の通報アプリケーション及びそれらの各々についてそれぞれ異なるダウンロード時間を選択した選択データを前記携帯電話機から受信する手段と、
受信した前記選択データに基づいて、前記ライブラリの中の該当する通報アプリケーションのプログラムファイルを、それぞれ該当するダウンロード時間に前記携帯電話機へダウンロードする手段とを有することを特徴とする
携帯電話機に対する通報機能付与システム。
【請求項３】
前記携帯電話機へダウンロードされた前記通報アプリケーションにより、該携帯電話機の音声出力装置からの発生音の有無及びその内容、並びに該携帯電話機の表示装置の表示の有無及びその内容が制御されることを特徴とする請求項１又は２に記載の携帯電話機に対する通報機能付与システム。
【請求項４】
ダウンロードしたアプリケーションの実行機能とブラウザ機能とを具備する携帯電話機に対して通報機能を付与すべく、コンテンツサーバから該携帯電話機へ通報アプリケーションをダウンロードする方法において、前記コンテンツサーバが、
前記携帯電話機により接続可能な登録用ウェブサイトを構築管理し、
前記携帯電話機に設けた非常ボタンの操作により起動可能な複数の通報アプリケーションのプログラムファイルをライブラリとして保存し、
前記携帯電話機が前記登録用ウェブサイトに接続した場合に、前記ライブラリに保存されている前記複数の通報アプリケーションの一覧表を該登録用ウェブサイトに掲示し、
掲示された前記一覧表から１つの通報アプリケーションを選択した選択データを前記携帯電話機から受信し、
受信した前記選択データに基づいて前記ライブラリの中の該当する通報アプリケーションのプログラムファイルを前記携帯電話機へダウンロードすることを特徴とする
携帯電話機に対する通報機能付与方法。
【請求項５】
ダウンロードしたアプリケーションの実行機能とブラウザ機能とを具備する携帯電話機に対して通報機能を付与すべく、コンテンツサーバから該携帯電話機へ通報アプリケーションをダウンロードする方法において、前記コンテンツサーバが、
前記携帯電話機により接続可能な登録用ウェブサイトを構築管理し、
前記携帯電話機に設けた非常ボタンの操作により起動可能な複数の通報アプリケーションのプログラムファイルをライブラリとして保存し、
前記携帯電話機が前記登録用ウェブサイトに接続した場合に、前記ライブラリに保存されている前記複数の通報アプリケーションの一覧表を該登録用ウェブサイトに掲示し、
掲示された前記一覧表から複数の通報アプリケーション及びそれらの各々についてそれぞれ異なるダウンロード時間を選択した選択データを前記携帯電話機から受信し、
受信した前記選択データに基づいて、前記ライブラリの中の該当する通報アプリケーションのプログラムファイルを、それぞれ該当するダウンロード時間に前記携帯電話機へダウンロードすることを特徴とする
携帯電話機に対する通報機能付与方法。
【請求項６】
前記携帯電話機へダウンロードされた前記通報アプリケーションにより、該携帯電話機の音声出力装置からの発生音の有無及びその内容、並びに該携帯電話機の表示装置の表示の有無及びその内容が制御されることを特徴とする請求項４又は５に記載の携帯電話機に対する通報機能付与方法。
【請求項７】
ダウンロードしたアプリケーションの実行機能とブラウザ機能とを具備する携帯電話機に対して通報機能を付与すべく、コンテンツサーバから該携帯電話機へ通報アプリケーションをダウンロードする機能を実現するプログラムにおいて、前記コンテンツサーバに対し、
前記携帯電話機により接続可能な登録用ウェブサイトを構築管理する機能と、
前記携帯電話機に設けた非常ボタンの操作により起動可能な複数の通報アプリケーションのプログラムファイルをライブラリとして保存する機能と、
前記携帯電話機が前記登録用ウェブサイトに接続した場合に、前記ライブラリに保存されている前記複数の通報アプリケーションの一覧表を該登録用ウェブサイトに掲示する機能と、
掲示された前記一覧表から１つの通報アプリケーションを選択した選択データを前記携帯電話機から受信する機能と、
受信した前記選択データに基づいて前記ライブラリの中の該当する通報アプリケーションのプログラムファイルを前記携帯電話機へダウンロードする機能とを実現することを特徴とする
携帯電話機に対する通報機能付与プログラム。
【請求項８】
ダウンロードしたアプリケーションの実行機能とブラウザ機能とを具備する携帯電話機に対して通報機能を付与すべく、コンテンツサーバから該携帯電話機へ通報アプリケーションをダウンロードする機能を実現するプログラムにおいて、前記コンテンツサーバに対し、
前記携帯電話機により接続可能な登録用ウェブサイトを構築管理する機能と、
前記携帯電話機に設けた非常ボタンの操作により起動可能な複数の通報アプリケーションのプログラムファイルをライブラリとして保存する機能と、
前記携帯電話機が前記登録用ウェブサイトに接続した場合に、前記ライブラリに保存されている前記複数の通報アプリケーションの一覧表を該登録用ウェブサイトに掲示する機能と、
掲示された前記一覧表から複数の通報アプリケーション及びそれらの各々についてそれぞれ異なるダウンロード時間を選択した選択データを前記携帯電話機から受信する機能と、
受信した前記選択データに基づいて、前記ライブラリの中の該当する通報アプリケーションのプログラムファイルを、それぞれ該当するダウンロード時間に前記携帯電話機へダウンロードする機能とを実現することを特徴とする
携帯電話機に対する通報機能付与方法。
【発明の詳細な説明】
【０００１】
【発明の属する技術分野】
本発明は、緊急時や非常事態を周囲の人々に通報する機能を携帯電話機に付与するためのシステム、方法及びプログラムに関する。
【０００２】
【従来の技術】
現代は、様々な危険がいつ身に降りかかるか分からない時代であり、種々のセキュリティ装備を常に身につける習慣も一般的となりつつある。例えば、古くから知られているものに、防犯ブザー等の大音響を発する護身具がある。
【０００３】
昨今では多くの人が常時携帯している携帯電話機を利用したセキュリティシステムも、いくつか提示されている。特許文献１に記載のシステムでは、携帯電話機に付加された緊急警報ボタンをユーザが押下することにより、警告音が発せられると共に携帯電話会社へ緊急事態を通知する自動発呼が行われる。特許文献２に記載のシステムでは、ワンタッチ操作で周囲の状況を携帯電話機が録音・録画して通報センタへ緊急通報を発信するか、あるいは、ユーザの音声を携帯電話機が認識して通報センタへ緊急通報を発信する。特許文献３の携帯電話機では、スイッチを操作することにより警報ブザー音が発生する。
【０００４】
【発明が解決しようとする課題】
上記の従来例のうち、緊急時にセンターへの発呼が行われるシステムでは、警察や警備会社へ出動要請を行ったとしても、差し迫った危険に対する救援が間に合わない場合も生じ得る。緊急事態において直ちに救援の手を差し伸べられる可能性があるのは、周囲にいる人々であり、先ず周囲の人々に緊急事態を知らせることが重要である。
【０００５】
しかしながら、上記従来例のように携帯電話機に対する所定の操作によりブザー等の警報音を発するという画一的な通報手段が、常に有効であるとは限らない。すなわち、緊急事態の内容は多様であり、ケースバイケースで対応することが望ましい。例えば、単なる警報音では、それが救援要請であることを周囲の人々が理解できない場合や、救援要請であることはわかっても、いかなる事態であるのか、どのように対処すればよいのかを周囲の人々が理解できない場合がある。また、ラッシュ時の車両内での痴漢の場合等は、羞恥心からなるべく音声を発せずに周囲の人に助けを求めたいこともある。また、ユーザの日常生活の様々な場面（日中と夜、日常と旅行時）毎に、また、年齢や性別毎に、異なる通報手段が適している場合もある。
【０００６】
以上の現状に鑑み、本発明は、緊急事態の発生を周囲の人々に通報する機能を携帯電話機に付与するシステムであって、種々の通報手段の中から適したものを選択でき、かつその通報手段をいつでも容易に変更できるシステム、方法及びプログラムを提供することを目的とする。
【０００７】
【特許文献１】
特開２００２−１８５３８５号公報
【特許文献２】
特開２００２−２２３３２２号公報
【特許文献３】
特開２００３−６０７５２号公報
【０００８】
【課題を解決するための手段】
上記の目的を達成すべく、本発明は以下の構成を提供する。
（１）請求項１に係る携帯電話機に対する通報機能付与システムは、ダウンロードしたアプリケーションの実行機能とブラウザ機能とを具備する携帯電話機に対して通報機能を付与すべく、コンテンツサーバから該携帯電話機へ通報アプリケーションをダウンロードするシステムにおいて、前記コンテンツサーバが、
前記携帯電話機により接続可能な登録用ウェブサイトを構築管理する手段と、
前記携帯電話機に設けた非常ボタンの操作により起動可能な複数の通報アプリケーションのプログラムファイルを保存したライブラリと、
前記携帯電話機が前記登録用ウェブサイトに接続した場合に、前記ライブラリに保存されている前記複数の通報アプリケーションの一覧表を該登録用ウェブサイトに掲示する手段と、
掲示された前記一覧表から１つの通報アプリケーションを選択した選択データを前記携帯電話機から受信する手段と、
受信した前記選択データに基づいて前記ライブラリの中の該当する通報アプリケーションのプログラムファイルを前記携帯電話機へダウンロードする手段とを有することを特徴とする。
【０００９】
（２）請求項２に係る携帯電話機に対する通報機能付与システムは、ダウンロードしたアプリケーションの実行機能とブラウザ機能とを具備する携帯電話機に対して通報機能を付与すべく、コンテンツサーバから該携帯電話機へ通報アプリケーションをダウンロードするシステムにおいて、前記コンテンツサーバが、
前記携帯電話機により接続可能な登録用ウェブサイトを構築管理する手段と、
前記携帯電話機に設けた非常ボタンの操作により起動可能な複数の通報アプリケーションのプログラムファイルを保存したライブラリと、
前記携帯電話機が前記登録用ウェブサイトに接続した場合に、前記ライブラリに保存されている前記複数の通報アプリケーションの一覧表を該登録用ウェブサイトに掲示する手段と、
掲示された前記一覧表から複数の通報アプリケーション及びそれらの各々についてそれぞれ異なるダウンロード時間を選択した選択データを前記携帯電話機から受信する手段と、
受信した前記選択データに基づいて、前記ライブラリの中の該当する通報アプリケーションのプログラムファイルを、それぞれ該当するダウンロード時間に前記携帯電話機へダウンロードする手段とを有することを特徴とする。
【００１０】
（３）請求項３に係る携帯電話機に対する通報機能付与システムは、請求項１又は２において、前記携帯電話機へダウンロードされた前記通報アプリケーションにより、該携帯電話機の音声出力装置からの発生音の有無及びその内容、並びに該携帯電話機の表示装置の表示の有無及びその内容が制御されることを特徴とする。
【００１１】
（４）請求項４に係る携帯電話機に対する通報機能付与方法は、ダウンロードしたアプリケーションの実行機能とブラウザ機能とを具備する携帯電話機に対して通報機能を付与すべく、コンテンツサーバから該携帯電話機へ通報アプリケーションをダウンロードする方法において、前記コンテンツサーバが、
前記携帯電話機により接続可能な登録用ウェブサイトを構築管理し、
前記携帯電話機に設けた非常ボタンの操作により起動可能な複数の通報アプリケーションのプログラムファイルをライブラリとして保存し、
前記携帯電話機が前記登録用ウェブサイトに接続した場合に、前記ライブラリに保存されている前記複数の通報アプリケーションの一覧表を該登録用ウェブサイトに掲示し、
掲示された前記一覧表から１つの通報アプリケーションを選択した選択データを前記携帯電話機から受信し、
受信した前記選択データに基づいて前記ライブラリの中の該当する通報アプリケーションのプログラムファイルを前記携帯電話機へダウンロードすることを特徴とする。
【００１２】
（５）請求項５に係る携帯電話機に対する通報機能付与方法は、ダウンロードしたアプリケーションの実行機能とブラウザ機能とを具備する携帯電話機に対して通報機能を付与すべく、コンテンツサーバから該携帯電話機へ通報アプリケーションをダウンロードする方法において、前記コンテンツサーバが、
前記携帯電話機により接続可能な登録用ウェブサイトを構築管理し、
前記携帯電話機に設けた非常ボタンの操作により起動可能な複数の通報アプリケーションのプログラムファイルをライブラリとして保存し、
前記携帯電話機が前記登録用ウェブサイトに接続した場合に、前記ライブラリに保存されている前記複数の通報アプリケーションの一覧表を該登録用ウェブサイトに掲示し、
掲示された前記一覧表から複数の通報アプリケーション及びそれらの各々についてそれぞれ異なるダウンロード時間を選択した選択データを前記携帯電話機から受信し、
受信した前記選択データに基づいて、前記ライブラリの中の該当する通報アプリケーションのプログラムファイルを、それぞれ該当するダウンロード時間に前記携帯電話機へダウンロードすることを特徴とする。
【００１３】
（６）請求項６に係る携帯電話機に対する通報機能付与方法は、請求項４又は５の方法において、前記携帯電話機へダウンロードされた前記通報アプリケーションにより、該携帯電話機の音声出力装置からの発生音の有無及びその内容、並びに該携帯電話機の表示装置の表示の有無及びその内容が制御されることを特徴とする。
【００１４】
（７）請求項７に係る携帯電話機に対する通報機能付与プログラムは、ダウンロードしたアプリケーションの実行機能とブラウザ機能とを具備する携帯電話機に対して通報機能を付与すべく、コンテンツサーバから該携帯電話機へ通報アプリケーションをダウンロードする機能を実現するプログラムにおいて、前記コンテンツサーバに対し、
前記携帯電話機により接続可能な登録用ウェブサイトを構築管理する機能と、
前記携帯電話機に設けた非常ボタンの操作により起動可能な複数の通報アプリケーションのプログラムファイルをライブラリとして保存する機能と、
前記携帯電話機が前記登録用ウェブサイトに接続した場合に、前記ライブラリに保存されている前記複数の通報アプリケーションの一覧表を該登録用ウェブサイトに掲示する機能と、
掲示された前記一覧表から１つの通報アプリケーションを選択した選択データを前記携帯電話機から受信する機能と、
受信した前記選択データに基づいて前記ライブラリの中の該当する通報アプリケーションのプログラムファイルを前記携帯電話機へダウンロードする機能とを実現することを特徴とする。
【００１５】
（８）請求項８に係る携帯電話機に対する通報機能付与プログラムは、ダウンロードしたアプリケーションの実行機能とブラウザ機能とを具備する携帯電話機に対して通報機能を付与すべく、コンテンツサーバから該携帯電話機へ通報アプリケーションをダウンロードする機能を実現するプログラムにおいて、前記コンテンツサーバに対し、
前記携帯電話機により接続可能な登録用ウェブサイトを構築管理する機能と、
前記携帯電話機に設けた非常ボタンの操作により起動可能な複数の通報アプリケーションのプログラムファイルをライブラリとして保存する機能と、
前記携帯電話機が前記登録用ウェブサイトに接続した場合に、前記ライブラリに保存されている前記複数の通報アプリケーションの一覧表を該登録用ウェブサイトに掲示する機能と、
掲示された前記一覧表から複数の通報アプリケーション及びそれらの各々についてそれぞれ異なるダウンロード時間を選択した選択データを前記携帯電話機から受信する機能と、
受信した前記選択データに基づいて、前記ライブラリの中の該当する通報アプリケーションのプログラムファイルを、それぞれ該当するダウンロード時間に前記携帯電話機へダウンロードする機能とを実現することを特徴とする。
【００１６】
【発明の実施の形態】
以下、図面を参照しつつ本発明の実施の形態を説明する。
図１は、本発明による携帯電話機に対する通報機能付与システムの実施状況を模式的に示した構成図である。コンテンツサーバ２０は、本発明の主要な機能を担うコンピュータである。その機能の概要は、本システムを利用する携帯電話機１０のユーザに関する個人情報及びその利用情報を格納すること、種々の通報アプリケーションのプログラムファイルをライブラリとして保存していること、それら保存しているライブラリの中からユーザが所望するものを選択できる手段を提供すること、さらに、ユーザの選択した通報アプリケーションを携帯電話機１０へダウンロードすることである。これらの機能のうち、特に携帯電話機１０との間の対話型データ送受信を実現するために、コンテンツサーバ２０はウェブサーバ機能を具備しており、これにより登録用ウェブサイト２２を構築管理している。
【００１７】
コンテンツサーバ２０では、ＣＰＵ及び主メモリ（ＲＡＭ等）等から構成される制御部２１が上記の本発明の種々の機能を実現するソフトウェアすなわちプログラムを実行する。プログラムは、ハードディスク等の補助記憶装置に導入されており、主メモリがプログラムを読み込み、ＣＰＵがこれを実行する。
【００１８】
コンテンツサーバ２０はさらに、ハードディスク等の補助記憶装置に本システムに関連するデータを格納する。その１つは、本システムの利用者であり携帯電話機１０の利用者でもあるユーザに関して、その個人情報（氏名、ユーザＩＤ、パスワード、連絡先等）と、本システムにより提供される通報アプリケーションの利用情報（現在利用している通報アプリケーションの名称等）とを適宜のテーブルファイルとして記憶したユーザ登録情報データベース２４である。他の１つは、本システムによりユーザに提供される多種類の通信アプリケーションのプログラムファイルを保存した通報アプリケーションライブラリ２５である。
【００１９】
一方、携帯電話機１０は、インターネット５０への接続を可能とする通信制御ソフトウェアと高周波回路を具備する通信部１２と、ホームページ閲覧用ソフトウェアであるブラウザ１３を具備する。その他に、スピーカー等の音声出力装置１５、液晶表示装置等の表示装置１６、押しボタン、ロールキー、マイクロフォン等の入力装置１８を具備する。さらに、本発明に固有の非常ボタン１７を入力装置として具備するが、これは、携帯電話機１０に通常装備されている入力装置と別個に設けてもよいが、好適には、通常装備されている押しボタン等の入力装置のいずれかに対しソフトウェアによりその機能を割り当てる。既存の入力装置に対する非常ボタンとしての機能の割り当ては、後述する通報アプリケーションにより行われる。
【００２０】
尚、図１及びその説明では、本発明と直接関連しない携帯電話機の他の機能（通話、メール等）については省略する。ブラウザ１３を含め、携帯電話機１０の機能を実現する各ソフトウェアは適宜の記憶装置（図示せず、ＲＯＭ等）に導入されており、ＣＰＵ及び主メモリ（ＲＡＭ等）等から構成される制御部１１が、それらのソフトウェアを実行する。
【００２１】
携帯電話機１０の通信部１２がインターネット５０へ接続する場合は、最も近い基地局４１へ電波を送信し、基地局４１から携帯電話網をたどり携帯電話会社のセンターサーバ４２へと接続される。携帯電話会社センターサーバ４２はゲートウェイサーバであり、インターネット用通信プロトコルであるＴＣＰ／ＩＰとの変換を行う。これにより携帯電話機１０は、インターネット５０を介して登録用ウェブサイト２２に接続できる。
【００２２】
さらに、携帯電話機１０は、インターネットを介してダウンロードされたＪａｖａ（登録商標）アプリケーション等のプログラムを実行する機能を具備する。Ｊａｖａ（登録商標）アプリケーションは、プログラミング言語Ｊａｖａ（登録商標）で書かれたアプリケーションプログラムである。具体的には、携帯電話機１０にＪａｖａ（登録商標）仮想マシンのソフトウェアを導入し、これにＪａｖａ（登録商標）アプリケーションを実行させる。携帯電話機１０は、Ｊａｖａ（登録商標）アプリケーションを提供するコンテンツプロバイダのサーバであるコンテンツサーバ２０へ接続してＪａｖａ（登録商標）アプリケーションのプログラムファイルをダウンロードし、導入し、これを実行することができる。本発明では、この機能を利用して、コンテンツサーバ２０から通報アプリケーションのプログラムファイルをダウンロードする。通報アプリケーションの具体例については、後述する。制御部１１は、通報アプリケーション１４を実行することにより、非常ボタン１７からの入力処理、音声出力装置１５からの音声発生、表示装置１６への画像表示等の制御を行う。これについては、後に図４の説明において詳述する。
【００２３】
携帯電話機１０からインターネット５０を介して登録用ウェブサイト２２に接続要求があると、コンテンツサーバ２０は、ＨＴＭＬ文書データで作成された所定のホームページを登録用ウェブサイト２２経由で携帯電話機１０へ送信する。以下、このコンテンツサーバ２０の処理を、「登録用ウェブサイト２２に（所定の情報を）掲示する」と表現する。ブラウザ１３を備えた携帯電話機１０は、このＨＴＭＬ文書データのホームページを閲覧することができる。すなわち、携帯電話機１０の表示装置１６に所定のホームページ画面が表示される。
【００２４】
さらに、コンテンツサーバ２０は、登録用ウェブサイト２２を介して携帯電話機１０から所定の要求があった場合は、コンテンツサーバ２０内の別のプログラムにより実現されるユーザ登録処理部２３で所定の処理を行い、その結果を登録用ウェブサイト２２に掲示する。このようなしくみは、例えば、携帯電話機１０のブラウザ１３がウェブサーバ機能に含まれるＣＧＩスクリプトを呼び出すことにより、そのＣＧＩスクリプトにより指定されたプログラムをコンテンツサーバ２０が実行し、その結果をブラウザに返すＣＧＩ技術を用いて実施可能である。これ以外にもＳＳＩ（Ｓｅｒｖｅｒ  Ｓｉｄｅ  Ｉｎｃｌｕｄｅ  ）、ＡＳＰ（Ａｃｔｉｖｅ  Ｓｅｒｖｅｒ  Ｐａｇｅｓ）等、ブラウザからの要求でサーバが何らかの処理を行い、その結果をブラウザに返す技術であればいずれも利用できる。
【００２５】
次に、コンテンツサーバ２０のユーザ登録処理部２３の機能を具体例により説明する。携帯電話機１０から登録用ウェブサイト２２に接続要求があると、先ず登録用ウェブサイト２２にログイン画面を掲示する。ログイン画面においては、既に登録済みのユーザであればユーザＩＤとパスワードの入力を行い、新規ユーザであれば必要な個人情報を入力して新規登録を行い、新たなユーザＩＤとパスワードを付与する。ユーザ登録処理部２３のログイン処理機能２３ａは、既登録ユーザの入力したユーザＩＤとパスワードを、ユーザ登録情報データベース２４を参照することにより認証した後、次の処理画面を掲示する。また、新規ユーザについては、入力された個人情報を、付与されたユーザＩＤ及びパスワードと共にユーザ登録情報データベース２４に新規登録した後、次の処理画面を掲示する。
【００２６】
ユーザ登録処理部２３のアプリケーション選択受付処理機能２３ｂは、通報アプリケーションライブラリ２５に保存されている各種通報アプリケーションの選択を画面上で行わせる。例えば、各通報アプリケーションの名称等とその内容の一覧表を掲示する。ユーザが携帯電話機１０の画面上でその１つを選択してその選択データを入力、送信すると、この選択データを受信し、次の処理に渡す。
【００２７】
ユーザ登録処理部２３の登録処理機能２３ｃは、ユーザによる通報アプリケーションの選択データに基づいて、ユーザ登録情報データベース２４に格納された当該ユーザの登録情報を更新する。すなわち、ユーザの選択した通報アプリケーションの名称等を利用情報として記憶する。その後、次の処理に進む。
【００２８】
ユーザ登録処理部２３のダウンロード処理機能２３ｄは、ユーザによる通報アプリケーションの選択データに基づいて、通報アプリケーションライブラリ２５から該当する通報アプリケーションのプログラムファイルを取り出し、携帯電話機１０へダウンロードする。
【００２９】
図２は、携帯電話機１０から登録用ウェブサイト２２に接続して、通報アプリケーションの登録及びダウンロードを行う際の処理フローの一例を示した流れ図である。尚、説明において図１中の符号を参照する。
【００３０】
・ステップＳ１：携帯電話機１０から携帯電話会社ウェブサイト（携帯電話会社センターサーバ４２）へ接続し、ここを介してコンテンツサーバ２０の登録用ウェブサイト２２へ接続する。登録用ウェブサイト２２にログイン画面が掲示されると、そのログイン画面が表示装置１６に表示される。
【００３１】
・ステップＳ２：新規ユーザであれば、別の画面を掲示するステップＳ３へ進む。既登録ユーザであれば、ステップＳ４へ進む。
【００３２】
・ステップＳ３：新規ユーザ用の個人情報入力画面を掲示する。携帯電話機１０では、この画面上で個人情報データを入力し、送信する。その後、使用契約内容及び課金内容が掲示され、ユーザは承諾データを入力し、送信する。本システムは、例えば、コンテンツ提供企業と月々定額の利用許諾契約を締結することで利用できる。コンテンツサーバ２０は、個人情報データ及び承諾データを受信すると、ユーザ登録情報データベース２４に新規ユーザとして個人情報を格納する。さらに、新規のユーザＩＤ及びパスワードを付与し、携帯電話機１０へ送信すると共にユーザ登録情報データベース２４にも格納する。そして、次のステップＳ５の画面を掲示する。尚、ユーザＩＤとパスワードは、コンテンツサーバ２０が割り当てるのではなく、ユーザ自身が決定してコンテンツサーバ２０へ送信してもよい。これらのユーザＩＤとパスワードは、次回の接続の際に使用する。
【００３３】
・ステップＳ４：既登録ユーザは、ログイン画面上でユーザＩＤとパスワードを入力、送信する。これらを受信したコンテンツサーバ２０は、ユーザ登録情報データベース２４を参照してこれを認証した後、次のステップＳ５の画面を掲示する。
【００３４】
・ステップＳ５：画面上に、各種通報アプリケーションの名称等の一覧表を掲示する。好適には、その通報アプリケーション起動時の動作内容の説明も併せて掲示する。この一覧表の画面は、通報アプリケーションライブラリ２５に保存された内容に基づいて作成される。図３は、通報アプリケーションライブラリ２５の構造の一例を模式的に示している。各通報アプリケーションには、固有の識別コードが割り当てられ、名称が付けられると共に、実際のプログラムファイルが保存されている。通報アプリケーションの内容としては、例えば、識別コード「０１１０」のタイトル名「ブザー音と画面フラッシュ」の通報アプリケーションが携帯電話機で起動されると、携帯電話機の音声出力装置からブザー音が発せられると同時に表示装置の画面がフラッシュのように点滅を繰り返す。また例えば、識別コード「０１１２」のタイトル名「声『誰か助けてください』と画面フラッシュ」の通報アプリケーションが起動されると、携帯電話機の音声出力装置から『誰か助けてください』という音声が繰り返し発せられると同時に表示装置の画面がフラッシュ点滅を行う。このように、各通報アプリケーションにより、携帯電話機の音声出力装置からの発生音の有無及びその内容が指定され、かつ携帯電話機の表示装置の表示の有無及びその内容が制御される。
【００３５】
・ステップＳ６：ユーザは、一覧表の中から所望する通報アプリケーションを選択し、その選択データを入力、送信する。
【００３６】
・ステップＳ７：コンテンツサーバ２０は、受信した選択データにより指定された通報アプリケーションの名称を、そのユーザの利用情報としてユーザ登録情報データベース２４に格納する。尚、格納する情報は、通報アプリケーションの名称の替わりに、通報アプリケーション毎に割り当てた識別コードでもよく、各通報アプリケーション固有の識別情報であればよい。図４は、ユーザ登録情報データベース２４の構造の一例を模式的に示している。各ユーザ毎に、氏名、ユーザＩＤ、パスワード、現在利用中の通報アプリケーションの識別コード等のデータが格納されている。
【００３７】
・ステップＳ８：コンテンツサーバ２０は、受信した選択データに基づいて、該当する通報アプリケーションのプログラムファイルを、通報アプリケーションライブラリ２５から取り出し、登録用ウェブサイト２２を介して携帯電話機１０へダウンロードする。携帯電話機１０は、ダウンロードされた通報アプリケーションのプログラムファイルを導入し、待機状態とする。通報アプリケーションは、携帯電話機１０の具備するいずれかの入力装置を非常ボタンとして設定する。例えば、入力キー「＃」を３回押す「＃＃＃」の入力パターンを非常ボタンとして認識するように設定する。非常ボタンの入力により通報アプリケーションは待機状態から起動状態となる。
【００３８】
上記の実施形態では、携帯電話機１０に新たな通報アプリケーションがダウンロードされると、それ以前に導入されていた通報アプリケーションは、削除される。本発明の通報アプリケーションは、緊急時や非常事態にのみユーザの操作により起動されるものであるから、斯かる事態に複数の中から選択するという余裕はないと考えられる。従って、携帯電話機１０に導入される通報アプリケーションは、同時に１つのみであることが望ましいといえる。
【００３９】
しかしながら、別の実施形態として、複数の異なる通報アプリケーションを携帯電話機１０にダウンロードし、保存しておくことも可能である。その場合であっても、非常ボタンの操作時にいずれか１つのみが起動するように予め設定する手段があれば問題ない。このような複数の通報アプリケーションの起動切り替え用プログラムもまた、コンテンツサーバ２０からダウンロードすることができる。例えば、ユーザは、日常生活の場面毎に（例えば、昼と夜）、携帯電話機１０で起動切り替え用プログラムを実行し、携帯電話機１０に保存されている複数の通報アプリケーション名称を画面上に全て表示させ、いずれか１つを起動可能な通報アプリケーションとして指定する。このようにして、状況に応じて最適な通報アプリケーションに切り替えて待機状態としておくことが可能となる。もっとも、現状の携帯電話機１０では、記憶装置の容量が限られているので、あまり多くの通報アプリケーションを同時に保存することは現実的でない。
【００４０】
いずれにしても本システムにおいては、ユーザが必要に応じていつでも、携帯電話機１０からコンテンツサーバ２０の登録用ウェブサイト２２へ接続して所望する通報アプリケーションをダウンロードすることができる。従って、従来のように画一的な通報手段に固定されることなく、状況に応じて最適な通報アプリケーションを選択し、取得することができる。
【００４１】
さらに別の実施形態として、例えば、図２のステップＳ６で通報アプリケーションを選択する際に、複数の通報アプリケーションを選択すると同時に、それらの通報アプリケーションの各々についてそれぞれ異なるダウンロード時間を選択する。例えば、午前７時に「無音と画面文字表示『痴漢に遭ってます、助けてください』」の通報アプリケーションが自動的にダウンロードされるように指定し、午後８時に「ブザー音と画面フラッシュ」の通報アプリケーションが自動的にダウンロードされるように指定する。尚、指定される時間は、毎日の特定の時間であっても、特定の曜日又は特定の日時における特定の時間であってもよい。コンテンツサーバ２０は、選択された複数の通報アプリケーションの名称等とそれぞれのダウンロード時間を、ユーザ登録情報データベース２４に記憶する。
【００４２】
この実施形態の場合、携帯電話機１０には、予め指定した時間に自動的に登録用ウェブサイト２２に接続するプログラムが組み込まれている。このようなプログラムもまた、コンテンツサーバ２０からダウンロードできる。一方、コンテンツサーバ２０は、指定された時間に携帯電話機１０からの接続要求があると、ユーザ登録情報データベース２４を参照することにより、該当する通報アプリケーションを携帯電話機１０へダウンロードする。このようにすると、同時に１つの通報アプリケーションのみが携帯電話機１０にダウンロードされ、導入されるので、携帯電話機１０の記憶装置容量を圧迫することもない。加えて、ユーザは、通報アプリケーションの入れ替えのための接続操作を一々行わなくともよい。
【００４３】
図５は、携帯電話機１０における通報アプリケーションの使用例のフローを示す流れ図である。尚、説明において図１中の符号を参照する。
【００４４】
・ステップＳ１１：通報アプリケーションは、携帯電話機１０にダウンロードされ、導入されると待機状態となる。待機状態とは、非常ボタン１７による所定の入力があれば、通報アプリケーション１４を起動できる状態である。
【００４５】
・ステップＳ１２：非常事態が発生したか否かをユーザが判断する。発生していなければ、ステップＳ１１の待機状態のままである。非常事態が発生すれば、ステップＳ１３へ進む。非常事態とは、例えば、ストーカーに襲われたとき、痴漢に遭ったとき、通学又は通塾途中に事件・事故にあったとき、外出中に急病になったとき（緊急の投薬が必要なとき等）、災害発生時（地震の際、瓦礫の下で動けないとき等）、遭難時等である。
【００４６】
・ステップＳ１３：ユーザが、携帯電話機１０の予め設定されている非常ボタン１７を操作する。これは、通報アプリケーションの起動命令入力となる。例えば、キー「＃」を３回続けて押す「＃＃＃」の入力パターンである。
【００４７】
・ステップＳ１４：非常ボタンの操作を検知すると、通報アプリケーションが起動され、音声出力装置１５及び表示装置１６の所定の動作が開始される。これにより、周囲に対して非常事態を通知し、支援・救援を要請する。
【００４８】
・ステップＳ１５：非常事態が回避されたか否かをユーザが判断する。回避されていなければ、ステップＳ１６へ進む。回避されたならばステップＳ１７へ進む。
【００４９】
・ステップＳ１６：非常事態が継続していれば、通報アプリケーションの起動状態をそのまま維持する。
【００５０】
・ステップＳ１７：非常事態が回避されたならば、予め設定された非常ボタンを再び操作する。これは、通報アプリケーションの停止命令入力となる。停止時の非常ボタンの操作内容は、起動時と同じでもよく、異なっていてもよい。
【００５１】
・ステップＳ１８：通報アプリケーションを停止し、再び待機状態に戻る。
【００５２】
【発明の効果】
本発明においては、携帯電話機で実行可能な種々の通報アプリケーションをライブラリとして保存し、ウェブサイトを介した携帯電話機からの要求に応じてライブラリの中から所望された通報アプリケーションを取り出し、当該携帯電話機へダウンロードするコンテンツサーバが提供された。本発明では、要求された通報アプリケーションを直ちにダウンロードすることはもちろん、指定された通報アプリケーションを指定された時間にダウンロードすることも可能である。
【００５３】
尚、本システムは、インターネットを介してダウンロードしたアプリケーションの実行機能とブラウザ機能とを具備する携帯電話機であれば、いずれの機種でも実施可能であり、携帯電話機を買い替えた場合にも、コンテンツサーバへ接続して通報アプリケーションをダウンロードするのみで、新しい携帯電話機に直ちに通報機能を付与し、利用することができる。
【００５４】
本発明により、緊急事態の発生を、最も適した通報手段で周囲の人々に通報する機能を携帯電話機に付与することが実現された。さらに、多数の通報手段の中から適したものを選択でき、かつその通報手段をいつでも容易に変更することができるので、極めて汎用性、利便性の高いシステムである。
【図面の簡単な説明】
【図１】本発明による携帯電話機に対する通報機能付与システムの実施状況を模式的に示す構成図である。
【図２】携帯電話機から登録用ウェブサイトに接続し、通報アプリケーションの登録及びダウンロードを行う際の処理フローの一例を示す流れ図である。
【図３】通報アプリケーションライブラリの構造の一例を模式的に示す図である。
【図４】ユーザ登録情報データベースの構造の一例を模式的に示す図である。
【図５】携帯電話機における通報アプリケーションの使用例のフローを示す流れ図である。
【符号の説明】
１０  携帯電話機
１１  制御部（携帯電話機）
１２  通信部
１３  ブラウザ
１４  通報アプリケーション
１５  音声出力装置
１６  表示装置
１７  非常ボタン
２０  コンテンツサーバ
２１  制御部（コンテンツサーバ）
２２  登録用ウェブサイト
２３  ユーザ登録処理部
２４  データベース
２５  ライブラリ
４１  基地局
４２  携帯電話会社センターサーバ
５０  インターネット
【図１】
2005012301.tif 000003
【図２】
2005012301.tif 000004
【図３】
2005012301.tif 000005
【図４】
2005012301.tif 000006
【図５】
2005012301.tif 000007